(57)【要約】【課題】サイズを増加させることなく、カップ収容部内の液体を効果的に抜き出し、液体の光源への到達を抑えることのできる構造を有するカップホルダーを提供する。【解決手段】本発明の一態様として、カップ収容部３１を有する本体３０と、本体３０の裏面３７に設置された光源４０と、カップ収容部３１の底面上に設置された導光レンズ２０と、を備え、本体３０が孔３２及び孔３４を有し、孔３４が、光源４０から発せられた光を導光レンズ２０へ導くための孔であり、孔３２が、カップ収容部３１内の液体を抜くためのドレインホールとして機能する、カップホルダー１を提供する。【選択図】図１
2019055764.tif 000002
【特許請求の範囲】
【請求項１】
カップを収容するための凹状のカップ収容部を有する本体と、
前記本体の裏面の前記カップ収容部の下に設置された光源と、
前記本体の前記カップ収容部の底面上に設置された板状の導光レンズと、
を備え、
前記本体が、前記カップ収容部の前記底面に、第１の孔及び第２の孔を有し、
前記第２の孔が、前記光源から発せられた光を前記導光レンズへ導くための孔であり、
前記第１の孔が、前記カップ収容部内の液体を抜くためのドレインホールとして機能する、
カップホルダー。
【請求項２】
前記導光レンズが、前記カップ収容部の前記底面に対向する面に突起を有し、
前記第１の孔が、前記導光レンズの前記突起を嵌め込んで前記導光レンズを前記本体に固定するための孔であり、前記導光レンズの前記突起が嵌め込まれた状態で前記本体の前記カップ収容部から前記裏面まで連続する隙間を有する、
請求項１に記載のカップホルダー。
【請求項３】
前記カップ収容部内の前記導光レンズ上に設置されるマットを備え、
前記マットが、前記導光レンズに対向する面に突起を有し、
前記導光レンズが、前記マットの前記突起を嵌め込んで前記マットを前記導光レンズに固定するための孔を有し、
前記本体が、前記カップ収容部の前記底面に、前記マットの前記突起との干渉を避けるための第３の孔を有し、
前記導光レンズの前記孔及び前記本体の前記第３の孔が、前記導光レンズの前記孔に前記マットの前記突起が嵌め込まれた状態で前記本体の前記カップ収容部から前記裏面まで連続する隙間を有し、前記カップ収容部内の液体を抜くためのドレインホールとして機能する、
請求項１又は２に記載のカップホルダー。
【請求項４】
前記導光レンズの前記孔の輪郭の、前記光源側の部分が円弧状である、
請求項３に記載のカップホルダー。
【請求項５】
前記導光レンズが、前記第１の孔のうちの一つに向かって下るような傾斜を有して設置されている、
請求項１〜４のいずれか１項に記載のカップホルダー。
【請求項６】
前記本体が、前記裏面に、前記第１の孔を囲む環状の突起を有する、
請求項１〜５のいずれか１項に記載のカップホルダー。
【請求項７】
前記本体が、前記裏面に、前記第２の孔を囲むように配置された複数の壁状の突起を有する、
請求項１〜６のいずれか１項に記載のカップホルダー。
【請求項８】
前記光源が、コネクタ側に向かって下るような傾斜を有して設置されている、
請求項１〜７のいずれか１項に記載のカップホルダー。
【請求項９】
前記導光レンズが、前記光源から発せられた光を取り込む光取込部から前記導光レンズ内へ進入した光を反射し、前記導光レンズの縁の、前記光取込部から見て前記孔の影になる領域へ進路変更させる溝を有する、
請求項３又は４に記載のカップホルダー。
【発明の詳細な説明】
【技術分野】
【０００１】
本発明は、カップホルダー、特に自動車の車室内等に装備されるカップホルダーに関する。
【背景技術】
【０００２】
従来、自動車の車室内のコンソールボックスやインストルメントパネルの全面等に設けられる、ペットボトルや飲料缶などの飲料容器を一時保管するのに便利なカップホルダーとして、カップ収容部の夜間の視認性や装飾性を向上させるための光源を備えたものが知られている（例えば、特許文献１、２参照）。
【０００３】
特許文献１、２に記載のカップホルダーは、カップを収容するためのカップ収容部と、カップ収容部の底部に取り付けられた導光体と、導光体に光を供給して発光させる光源と、を備える。
【０００４】
また、特許文献２に記載のカップホルダーは、カップ収容部内に零れた液体を抜くためのチャネル及びドレインポートをカップ収容部の下に有する。チャネル及びドレインポートからカップ収容部内の液体を抜くことにより、液体がカップホルダー本体と導光体との隙間等を伝って光源まで達し、液体が浸入することによる光源の損傷を抑制できる。
【先行技術文献】
【特許文献】
【０００５】
【特許文献１】特開２０１５−２２９４５５号公報
【特許文献２】米国特許出願公開第２０１６／００４６２３３号明細書
【発明の概要】
【発明が解決しようとする課題】
【０００６】
しかしながら、特許文献２に記載のカップホルダーによれば、カップ収容部内の液体が多量であり、チャネルに多量の液体が流入する場合、液体がチャネルを越えて光源まで達するおそれがある。また、チャネル及びドレインポートを設置するためにカップホルダーのサイズが大きくなるという問題もある。
【０００７】
本発明の目的の１つは、サイズを増加させることなく、カップ収容部内の液体を効果的に抜き出し、液体の光源への到達を抑えることのできる構造を有するカップホルダーを提供することにある。
【課題を解決するための手段】
【０００８】
本発明の一態様は、上記目的を達成するために、下記［１］〜［９］のカップホルダーを提供する。
【０００９】
［１］カップを収容するための凹状のカップ収容部を有する本体と、前記本体の裏面の前記カップ収容部の下に設置された光源と、前記本体の前記カップ収容部の底面上に設置された板状の導光レンズと、を備え、前記本体が、前記カップ収容部の前記底面に、第１の孔及び第２の孔を有し、前記第２の孔が、前記光源から発せられた光を前記導光レンズへ導くための孔であり、前記第１の孔が、前記カップ収容部内の液体を抜くためのドレインホールとして機能する、カップホルダー。
【００１０】
［２］前記導光レンズが、前記カップ収容部の前記底面に対向する面に突起を有し、前記第１の孔が、前記導光レンズの前記突起を嵌め込んで前記導光レンズを前記本体に固定するための孔であり、前記導光レンズの前記突起が嵌め込まれた状態で前記本体の前記カップ収容部から前記裏面まで連続する隙間を有する、上記［１］に記載のカップホルダー。
【００１１】
［３］前記カップ収容部内の前記導光レンズ上に設置されるマットを備え、前記マットが、前記導光レンズに対向する面に突起を有し、前記導光レンズが、前記マットの前記突起を嵌め込んで前記マットを前記導光レンズに固定するための孔を有し、前記本体が、前記カップ収容部の前記底面に、前記マットの前記突起との干渉を避けるための第３の孔を有し、前記導光レンズの前記孔及び前記本体の前記第３の孔が、前記導光レンズの前記孔に前記マットの前記突起が嵌め込まれた状態で前記本体の前記カップ収容部から前記裏面まで連続する隙間を有し、前記カップ収容部内の液体を抜くためのドレインホールとして機能する、上記［１］又は［２］に記載のカップホルダー。
【００１２】
［４］前記導光レンズの前記孔の輪郭の、前記光源側の部分が円弧状である、上記［３］に記載のカップホルダー。
【００１３】
［５］前記導光レンズが、前記第１の孔のうちの一つに向かって下るような傾斜を有して設置されている、上記［１］〜［４］のいずれか１項に記載のカップホルダー。
【００１４】
［６］前記本体が、前記裏面に、前記第１の孔を囲む環状の突起を有する、上記［１］〜［５］のいずれか１項に記載のカップホルダー。
【００１５】
［７］前記本体が、前記裏面に、前記第２の孔を囲むように配置された複数の壁状の突起を有する、上記［１］〜［６］のいずれか１項に記載のカップホルダー。
【００１６】
［８］前記光源が、コネクタ側に向かって下るような傾斜を有して設置されている、上記［１］〜［７］のいずれか１項に記載のカップホルダー。
【００１７】
［９］前記導光レンズが、前記光源から発せられた光を取り込む光取込部から前記導光レンズ内へ進入した光を反射し、前記導光レンズの縁の、前記光取込部から見て前記孔の影になる領域へ進路変更させる溝を有する、上記［３］又は［４］に記載のカップホルダー。
【発明の効果】
【００１８】
本発明によれば、サイズを増加させることなく、カップ収容部内の液体を効果的に抜き出し、液体の光源への到達を抑えることのできる構造を有するカップホルダーを提供することができる。
【図面の簡単な説明】
【００１９】
【図１】図１は、第１の実施の形態に係るカップホルダーの分解斜視図である。
【図２】図２は、第１の実施の形態に係るカップホルダーの上面図である。
【図３】図３は、第１の実施の形態に係るカップホルダーの下面図である。
【図４】図４は、図２及び図３に記載された切断線Ａ−Ａにおけるカップホルダーの垂直断面図である。
【図５】図５は、図２及び図３に記載された切断線Ｂ−Ｂにおけるカップホルダーの垂直断面図である。
【図６】図６は、導光レンズの孔の形状と、孔により形成される影の大きさの関係を示すイメージ図である。
【図７】図７（ａ）、（ｂ）は、本体の孔の周辺を拡大した、カップホルダーの下面図である。
【図８】図８は、導光レンズの変形例の上面図である。
【発明を実施するための形態】
【００２０】
〔第１の実施の形態〕
（カップホルダーの基本構成）
図１、図２、図３は、それぞれ第１の実施の形態に係るカップホルダー１の分解斜視図、上面図、下面図である。図４は、図２及び図３に記載された切断線Ａ−Ａにおけるカップホルダー１の垂直断面図である。図５は、図２及び図３に記載された切断線Ｂ−Ｂにおけるカップホルダー１の垂直断面図である。
【００２１】
なお、図２において、後述する導光レンズ２０の孔２３、本体３０の孔３２（３２ａ、３２ｂ、３２ｃ）、孔３３、及び孔３４の位置を点線で示している。また、図３においては、後述する光源４０の図示を省略し、その位置を点線で示している。
【００２２】
カップホルダー１は、カップを収容するための凹状のカップ収容部３１を有する本体３０と、本体３０の裏面３７のカップ収容部３１の下に設置された光源４０と、カップ収容部３１の底面上に設置された板状の導光レンズ２０と、カップ収容部３１内の導光レンズ２０上に設置されるマット１０を備える。
【００２３】
マット１０は、ＴＰＯ（オレフィン系エラストマー）等の不透明な材料からなる。本体３０は、ＰＰ（ポリプロピレン）、ＡＢＳ（アクリロニトリル・ブタジエン・スチレン）樹脂等の不透明な材料からなる。マット１０及び本体３０の色は、例えば、黒である。導光レンズ２０は、ＰＣ（ポリカーボネート）、ＰＭＭＡ（ポリメタクリル酸メチル樹脂）等の透明な材料からなる。
【００２４】
本体３０のカップ収容部３１には、ペットボトル、飲料缶、コップ等の飲料容器を収容することができる。本実施の形態では、本体３０が２つのカップ収容部３１を有するが、カップ収容部３１は１つであってもよく、３つ以上であってもよい。
【００２５】
マット１０は、飲料容器が置かれるカップ載置部１１が、カップ収容部３１に収まるように本体３０内に設置される。マット１０において、カップ載置部１１の高さは、縁１２の高さよりも低くなっている。
【００２６】
マット１０は、カップ載置部１１の裏側の導光レンズ２０に対向する面に突起１３を有する。また、導光レンズ２０は、カップ載置部１１の直下の領域２１に孔２３を有する。マット１０の突起１３を導光レンズ２０の孔２３に嵌め込むことにより、マット１０を導光レンズ２０に固定することができる。また、本体３０は、カップ収容部３１の底面に、マット１０の突起１３との干渉を避けるための孔３３を有する。突起１３は、例えば、図１、図３〜図５に示されるような爪を有する。
【００２７】
導光レンズ２０は、カップ収容部３１の底面に対向する面のカップ載置部１１の直下の領域２１に突起２５（２５ａ、２５ｂ、２５ｃ）を有する。また、本体３０は、カップ収容部３１の底面に、孔３２（３２ａ、３２ｂ、３２ｃ）を有する。導光レンズ２０の突起２５を本体３０の孔３２に嵌め込むことにより、導光レンズ２０を本体３０に固定することができる。突起２５は、例えば、図１、図３〜図５に示されるような爪を有する。
【００２８】
導光レンズ２０の縁２２の高さは、縁２２の内側の領域の高さよりも高い。マット１０は、縁２２の内側に嵌め込まれるようにして導光レンズ２０上に設置される。このため、導光レンズ２０の縁２２はマット１０に覆われておらず、カップ収容部３１内において露出している。
【００２９】
（カップ収容部の発光に関する構成及び作用）
カップホルダー１においては、光源４０から発せられた光が導光レンズ２０中を伝わり、導光レンズ２０の露出部分からカップ収容部３１内へ射出され、カップ収容部の夜間の視認性や装飾性を向上させる。
【００３０】
本体３０は、カップ収容部３１の底面に、孔３４を有する。孔３４は、光源４０から発せられた光を導光レンズ２０へ導くための孔である。孔３４の存在によって、光源４０から発せられた光は、本体３０に妨げられることなく、導光レンズ２０内へ進入する。
【００３１】
本実施の形態においては、孔３４に光源４０の光取出部４１が嵌め込まれており、導光レンズ２０のカップ収容部３１の底面に対向する面に設けられた略円柱状の突起である光取込部２６が光取出部４１に対向している。光源４０の光取出部４１から発せられて、光取込部２６から導光レンズ２０内へ進入した光は、導光レンズ２０の光取込部２６の直上に設けられた略円錐形の窪み２４の斜面で反射されて、導光レンズ２０内を面内方向へ伝播する。
【００３２】
導光レンズ２０内を伝播した光は、導光レンズ２０のマット１０に覆われていない露出部分である縁２２から、カップ収容部３１内へ射出される。
【００３３】
図６は、導光レンズ２０の孔２３の形状と、孔２３により形成される影の大きさの関係を示すイメージ図である。上述のように、導光レンズ２０内へ進入した光は、窪み２４の斜面によって反射され、導光レンズ２０内を面内方向へ伝播する。このとき、孔２３によって影が形成されるが、縁２２から射出される光の強度分布の均一性を高めるために、孔２３によって影が形成される範囲は小さいほどよい。
【００３４】
図６のθ１は、孔２３の角が湾曲している場合の影が形成される範囲を示す角度であり、θ２は、孔２３の角が湾曲していない場合の影が形成される範囲を示す角度である。図６に示されるように、θ１はθ２よりも小さく、孔２３の角が湾曲している方が、湾曲していない場合よりも、影の形成される範囲が小さい。
【００３５】
このため、孔２３の輪郭の少なくとも窪み２４側（光源４０側）の部分が円弧状であることが好ましい。例えば、図１、図２に示されるように、孔２３は楕円形であることが好ましい。
【００３６】
（光源の液体からの保護に関する構成及び作用）
図７（ａ）、（ｂ）は、それぞれ本体３０の孔３２、孔３３の周辺を拡大した、カップホルダー１の下面図である。
【００３７】
図７（ａ）に示されるように、本体３０の孔３２（３２ａ、３２ｂ、３２ｃ）は、導光レンズ２０の突起２５（２５ａ、２５ｂ、２５ｃ）が嵌め込まれた状態で本体３０のカップ収容部３１から裏面３７まで連続する隙間３８を有し、カップ収容部３１内の液体を抜くためのドレインホールとして機能する。
【００３８】
また、図７（ｂ）に示されるように、導光レンズ２０の孔２３及び本体３０の孔３３は、導光レンズ２０の孔２３にマット１０の突起１３が嵌め込まれた状態で本体３０のカップ収容部３１から裏面３７まで連続する隙間３９を有し、カップ収容部３１内の液体を抜くためのドレインホールとして機能する。
【００３９】
カップ収容部３１内に零れた液体のうち、マット１０と導光レンズ２０との隙間に入り込んだ部分は、隙間３９を通ってカップホルダー１の外部へ抜き出すことができる。また、カップ収容部３１内に零れた液体のうち、導光レンズ２０と本体３０との隙間に入り込んだ部分は、隙間３８及び隙間３９を通ってカップホルダー１の外部へ抜き出すことができる。
【００４０】
このように、孔２３、孔３２、及び孔３３からカップ収容部３１内の液体を抜き出すことにより、液体が本体３０の孔３４を通って光源４０へ達することを抑制できる。これによって、液体が浸入することによる光源４０の損傷を避けることができる。
【００４１】
また、カップホルダー１においては、各部材の固定に用いる孔２３、孔３２、及び孔３３を利用してカップ収容部３１内の液体を抜き出すことができるため、専用のドレインホールを設ける場合と比較して、サイズの増加を抑えることができる。
【００４２】
また、カップ収容部３１から孔２３、孔３２、及び孔３３を通って抜き出された液体は、突起１３及び突起２５を伝って落下しやすいため、液体が光源４０に達することを効果的に抑えることができる。
【００４３】
また、図５に示されるように、導光レンズ２０は、本体３０の孔３２の一つである孔３２ａに向かって下るような傾斜を有して設置されている。このため、カップ収容部３１内の液体が孔３２に流れ込みやすくなり、効率的に抜き出すことができる。
【００４４】
また、本体３０は、裏面３７に、孔３２（３２ａ、３２ｂ、３２ｃ）を囲む環状の突起であるガード３５（３５ａ、３５ｂ、３５ｃ）を有する。ガード３５を設けることにより、カップ収容部３１から孔３２を通って抜き出された液体が、ガード３５を伝って落下しやすくなり、液体が光源４０に達することをより効果的に抑えることができる。ガード３５は連続した環状であることが好ましいが、不連続な環状であってもよい。
【００４５】
また、本体３０は、裏面３７に、孔３４を囲むように配置された複数の壁状の突起であるガード３６（３６ａ、３６ｂ、３６ｃ）を有する。ガード３６は、孔２３、３２、３３よりも光源４０に近い位置（孔３４に近い位置）に設けられ、孔２３、３２、３３は、ガード３６（３６ａ、３６ｂ、３６ｃ）に囲まれた領域の外に位置している。ガード３６を設けることにより、カップ収容部３１から孔２３、孔３２、及び孔３３を通って抜き出された液体が裏面３７を伝って光源４０に達することを妨げられる。
【００４６】
また、光源４０は、コネクタ４２側が光取出部より低くなるように、コネクタ４２側に向かって下るような傾斜を有して設置されている。これにより、光源４０の表面を伝う液体がコネクタ４２から光源４０の内部に浸入することを抑制できる。
【００４７】
（変形例）
図８は、導光レンズ２０の変形例である導光レンズ２０ａの上面図である。導光レンズ２０ａは、縁２２の領域２２ａの明るさを向上させるための溝２７を有する。縁２２の領域２２ａは、孔２３から見て光取込部２６と反対側に位置する領域であり、光取込部２６から見て孔２３の影になるために、縁２２の他の領域よりも明るさが小さくなる領域である。
【００４８】
溝２７は、光取込部２６から導光レンズ２０ａ内へ進入して溝２７へ入射する光を反射し、領域２２ａへ進路変更させることができる。このため、領域２２ａの明るさを向上させ、縁２２の他の領域のとの明るさの差をほぼ無くす、又は低減することができる。
【００４９】
溝２７は、例えば、光取込部２６と孔２３とを結ぶ直線の方向に近い方向に延びる線状の平面形状を有する溝であり、光取込部２６と孔２３とを結ぶ直線に直交する方向に孔２３と並ぶ位置に設けられる。溝２７の平面形状は、反射させた光を効率的に領域２２ａへ向かわせるため、図８に示されるように、孔２３へ僅かに湾曲していることが好ましい。また、領域２２ａの明るさを効率的に向上させるため、図８に示されるように、光取込部２６と孔２３とを結ぶ直線に直交する方向の孔２３の両側に設けられることが好ましい。
【００５０】
また、溝２７は、導光レンズ２０ａを厚さ方向に貫通しない非貫通溝である。このため、導光レンズ２０ａの溝２７の下方を通る光は、溝２７に反射されず、光取込部２６から見て溝２７の影となる領域の明るさの低下を抑えることができる。溝２７の深さは、所望の領域２２ａの明るさや、光取込部２６から見て溝２７の影となる領域の明るさに応じて、適宜決定される。なお、溝２７は、典型的には導光レンズ２０ａの表面に開口するが、裏面に開口してもよい。
【００５１】
（実施の形態の効果）
上記実施の形態によれば、サイズを増加させることなく、カップ収容部内の液体を効果的に抜き出し、液体の光源への到達を抑えることのできる構造を有するカップホルダーを提供することができる。
【００５２】
以上、本発明の実施の形態を説明したが、本発明は、上記の実施の形態に限定されず、発明の主旨を逸脱しない範囲内において種々変形実施が可能である。
【００５３】
また、上記の実施の形態は特許請求の範囲に係る発明を限定するものではない。また、実施の形態の中で説明した特徴の組合せの全てが発明の課題を解決するための手段に必須であるとは限らない点に留意すべきである。
【符号の説明】
【００５４】
１                 カップホルダー
１０               マット
１３               突起
２０               導光レンズ
２３               孔
２５               突起
２６               光取込部
３０               本体
３１               カップ収容部
３２、３３、３４   孔
３５、３６         ガード
３７               裏面
３８、３９         隙間
４０               光源
４１               光取出部
４２               コネクタ
【図１】
2019055764.tif 000003
【図２】
2019055764.tif 000004
【図３】
2019055764.tif 000005
【図４】
2019055764.tif 000006
【図５】
2019055764.tif 000007
【図６】
2019055764.tif 000008
【図７】
2019055764.tif 000009
【図８】
2019055764.tif 000010